(57)【特許請求の範囲】
【請求項１】
ポンプＰを駆動する電動モータＭと、前記ポンプＰの駆動によって土壌中に消毒液を注入する注入ノズル１と、リール部材２に巻かれ且つ前記消毒液を注入した後の土壌面に対し引き出して被覆するマルチフィルム３とを備えたマルチフィルム敷設装置において、
前記リール部材２に、同リール部材２の回転によりスイッチ２３をＯＮさせるロータカム２５を備え、
前記スイッチ２３を接続する電気回路に、同スイッチ２３のＯＮと共に前記電動モータＭを一定時間だけ駆動させるタイマーＴと、前記回路に電源を投入した後に同スイッチ２３のＯＦＦからＯＮへの変化を検出するまでは、前記電動モータＭとこれを駆動させる電源との回路を切の状態に保持するリレースイッチＲ２を備えたことを特徴とするマルチフィルム敷設装置。
【発明の詳細な説明】
【０００１】
【発明の属する技術分野】
この発明は、マルチフィルム敷設装置の構成に関し、特に土壌消毒液の注入タイミングを、マルチフィルムの引出操作に連動させるものである。
【０００２】
【発明が解決しようとする課題】
マルチフィルムの敷設と同時にこのフィルムに被覆される土壌面に土壌消毒液を注入する作業形態では、土壌消毒液注入開始を前記マルチフィルムの敷設と同時に行う構成が望ましい。しかしながら、単にスイッチ操作により土壌消毒液の注入を開始させるだけでは、マルチフィルムが敷設されないのに土壌消毒液が注入されたり、又、土壌消毒液の注入間隔が一定に保持され難い。
【０００３】
【課題を解決するための手段】
この発明は、ポンプＰを駆動する電動モータＭと、前記ポンプＰの駆動によって土壌中に消毒液を注入する注入ノズル１と、リール部材２に巻かれ且つ前記消毒液を注入した後の土壌面に対し引き出して被覆するマルチフィルム３とを備えたマルチフィルム敷設装置において、
前記リール部材２に、同リール部材２の回転によりスイッチ２３をＯＮさせるロータカム２５を備え、
前記スイッチ２３を接続する電気回路に、同スイッチ２３のＯＮと共に前記電動モータＭを一定時間だけ駆動させるタイマーＴと、前記回路に電源を投入した後に同スイッチ２３のＯＦＦからＯＮへの変化を検出するまでは、前記電動モータＭとこれを駆動させる電源との回路を切の状態に保持するリレースイッチＲ２を備えたことを特徴とするマルチフィルム敷設装置とする。
【０００４】
【発明の効果】
以上のように構成したマルチフィルム敷設装置でマルチフィルム３を敷設するときは、ポンプＰの駆動によって土壌消毒液が注入ノズル１から土壌中に注入されると共に、この土壌消毒液が注入された直後の土壌面にリール部材２から引き出されるマルチフィルム３が被覆される。
【０００５】
このときの注入ノズル１からの消毒液の注入は、該マルチフィルム３の引出に伴ってロータカム２５が回転しスイッチ２３が作動されてポンプＰを一定時間だけ駆動することによって行われるため、即ちこのマルチフィルム３の引出敷設と同調するため無駄な消毒液の注入が行われず、的確な消毒液注入を行わせることができる。また、スイッチ２３を接続する電気回路には、電源を投入した後に同スイッチ２３のＯＦＦからＯＮへの変化を検出するまでは、前記電動モータＭとこれを駆動させる電源との回路を切の状態に保持するリレースイッチＲ２を備えたので、電源投入時に前記スイッチ２３が既にＯＮしていても無駄な消毒液の注入が行なわれない。
【０００６】
【実施例】
マルチフィルム敷設装置は、四輪走行形態のトラクタ車体４の後側に、ロアリンク５、トップリンク６、及びリフトアーム７等からなる三点リンク機構によって連結される。この作業フレーム８には、土壌面を中耕するカルチ９、土壌消毒液を収容するタンク１１、このタンク１１内の土壌消毒液を吸入して送出すモータＭおよびポンプＰ、このポンプＰの駆動によって送出される土壌消毒液を案内して該カルチ９によって形成される切込溝内に噴出させる注入ノズル、該カルチ９等で中耕された土壌面を鎮圧する鎮圧ロール１０、既に敷設された隣接のマルチフィルムの上面を掃除するブロワー１２とこの噴風口１３、及び、マルチフィルム３を敷設するフィルム敷設装置１４等を配置する。
【０００７】
前記鎮圧ロール１０は、左右両端部にロール径よりも大きい径のディスク２９を一体構成とし、このディスク２９を土壌面に喰い込ませることによってロール部で鎮圧される土壌の一部が横側へ押し出されるのを防止するもので、既設側のマルチフィルムと敷設中のマルチフィルム３との連結テープ２１による接着連結を正確に行わせるものである。
【０００８】
又、土壌中に土壌消毒液を注入する注入ノズル１は、前記カルチ９を取付けるカルチアーム３０の背面に取付けられて、このカルチ９で耕された跡の土壌中に消毒液を噴出させる。ポンプＰとこの注入ノズル１との間を連結するホース３１も該カルチアーム３０の背面に沿わせて取付ける。
このフィルム敷設装置１４は、一定幅のマルチフィルム３をロール巻きにして引出自在に支架するフィルムリール２、このマルチフィルム３を土壌面に被覆するように引出案内するフィルムガイドロール１６、このマルチフィルム３の横端部を土壌面へ押圧するゴム製の押圧輪１７、このマルチフィルム３の横一側端部を土壌中に埋設するための溝切器１８及び覆土ディスク１９、及び、この覆土部上面を鎮圧する押えロール２０等を配置している。
【０００９】
又、このフィルム敷設装置１４には、フィルムリール２から引き出されるマルチフィルム３を隣接のマルチフィルムの横端部に重合させて、この重合部を連結テープ２１で連結するための連結テープ接合装置が設けられる。２２はこのガムテープの如き連結テープ２１をロール巻きにして支架するテープリールであり、これから引き出される連結テープ２１を、フィルムリール２から引き出されるマルチフィルム３とこの既設側のマルチフィルム横端部とに亘るようにして重合させて、貼り合せ、更に上側から押圧輪１７で押圧させて接着する。
【００１０】
前記ポンプＰを駆動する電動モータＭの起動スイッチ２３は、マイクロスイッチからなり、フィルムセンサＳを構成する。フィルムリール２から引き出されるマルチフィルム３の中央部上面に接圧して回転されるアクチュエータホイル２４と一体のロータカム２５によってＯＮ，ＯＦＦされる。２６はこのアクチュエータホイル２４及びロータカム２５の回転軸で、フレーム８に対して上下揺動自在で作用位置と非作用位置と切替自在のアクチュエータアーム２７に軸装され、ばね２８で常時マルチフィルム３面をフィルムリール２側へ押圧させている。これによって、アクチュエータホイル２４はマルチフィルム３が後方へ引き出されることによって回転され、ロータカム２５の一体回転によって起動スイッチ２３を間欠的に押してＯＮさせる。
【００１１】
マイコンを有するコントローラＣＰＵは、該起動スイッチ２３の他に電源スイッチＳＷ、リレースイッチＲ１，Ｒ２、一定時間によりＯＦＦするタイマースイッチＴ等を有して駆動制御されるモータＭの電気回路を構成し、電源スイッチＳＷのＯＮにより、リレースイッチＲ１のＯＦＦからＯＮへの切替と、リレースイッチＲ２のＯＮとによってモータＭが一定時間駆動されて停止する。
また前記リレースイッチＲ２は、電源スイッチＳＷがＯＮしてのちマイクロスイッチ２３がＯＦＦからＯＮに変化した時に、前記モータＭと電源スイッチＳＷ間のスイッチＲ２がＯＮしてこれを維持する構成となっている。又、リレースイッチＲ１は、該起動スイッチ２３がＯＮする度毎にＯＮされる。
【００１２】
このため、起動スイッチ２３がロータカム２５によってＯＮされたときは一定時間の経過後にモータＭが停止してこの起動スイッチ２３が一旦ＯＦＦしてからＯＮにならなければモータＭは駆動されない。従って、電源スイッチＳＷをＯＮしただけでは、起動スイッチ２３が既にＯＮしていてもモータＭは駆動されず、マルチフィルム３の引出により起動スイッチ２３がＯＦＦになってからＯＮになって駆動される。
【図面の簡単な説明】
【図１】マルチフィルム敷設装置の側面図。
【図２】その平面図。
【図３】土壌消毒液噴出用ポンプモータの制御回路図。
【符号の説明】
１    注入ノズル
２    フィルムリール
３    マルチフィルム
２３  （起動）スイッチ
２５    ロータカム
Ｍ    モータ
Ｐ    ポンプ
Ｒ２  リレースイッチ
Ｓ    フィルムセンサ
Ｔ  タイマー
【図１】
0003663713.tif 000002
【図２】
0003663713.tif 000003
【図３】
0003663713.tif 000004